(57)【要約】【課題】テレビ放送等の受信装置におけるチャネルスキャン時間を短縮する。【解決手段】本発明の放送受信装置は、アンテナで受信した信号を増幅する第１増幅手段と、局部発信信号の出力信号と周波数乗算し、かつ直交復調する直交復調手段と、第２増幅手段と、２つに分配する分配手段と、この出力信号の一方から所定の周波数以下の信号を抽出する第１抽出手段と、第３増幅手段と、復号手段と、前記分配手段の出力の他方から所定周波数帯域の信号を抽出する第２抽出手段と、この信号レベルを測定する検波手段と、前記アンテナで所望の信号のみ受信した場合の前記第１、第２、第３増幅手段の制御量と前記検波手段による測定結果を予め基準データとして保存するデータ部と、前記検波手段による測定結果と前記基準データから所望の信号以外の無線信号の有無を判定する判定手段と、を具備する。【選択図】図１
2010050663.tif 000002
【特許請求の範囲】
【請求項１】
無線信号を受信するアンテナと、
前記アンテナで受信した無線信号を増幅し、かつ増幅量が可変である第１の増幅手段と、
前記第１の増幅手段の出力信号を局部発振手段から出力された信号と周波数乗算し、かつ直交復調する直交復調手段と、
前記直交復調手段から出力された信号を増幅し、かつ増幅量が可変である第２の増幅手段と、
前記第２の増幅手段から出力された信号を２方向に分配する分配手段と、
前記分配手段から出力された信号の一方から、所定の周波数以下の信号を抽出して出力する第１の抽出手段と、
前記第１の抽出手段から出力された信号を増幅し、かつ増幅量が可変である第３の増幅手段と、
前記第３の増幅手段から出力された信号を復号する復号手段と、
前記分配手段から出力された信号の他方から、所定の周波数帯域の信号を抽出して出力する第２の抽出手段と、
前記第２の抽出手段から出力された信号の信号レベルを測定する検波手段と、
前記アンテナで所望の信号のみ受信された場合における前記第１、第２、第３の増幅手段の制御量および前記検波手段による信号レベルの測定結果を基準データとしてあらかじめ保存されているデータ部と、
前記検波手段による測定結果と前記データ部に保存されている基準データとを比較して、所望の信号以外の無線信号の有無を判定する判定手段と、
を具備する放送受信装置。
【請求項２】
請求項１記載の放送受信装置において、
前記アンテナで所定のレベルで、かつ所望の信号のみ受信された場合における前記第１、第２、第３の増幅手段の制御量および前記検波手段による信号レベルを測定し、あらかじめデータ部に保存されている前記第２の増幅手段の制御量と前記検波手段の基準データとを比較し、差分がある場合はデータ部に保存されている基準データを補正することを特徴とする放送受信装置。
【請求項３】
無線信号を受信する複数のアンテナと、
前記複数のアンテナで受信した各々の無線信号を増幅し、かつ増幅量が可変である複数の第１の増幅手段と、
前記複数の第１の増幅手段の出力信号を局部発振手段から出力された信号と周波数乗算し、かつ直交復調する複数の直交復調手段と、
前記直交復調手段から出力された複数の信号を各々増幅し、かつ増幅量が可変である複数の第２の増幅手段と、
前記複数の第２の増幅手段から出力された信号を２方向に分配する複数の分配手段と、
前記複数の分配手段から出力された信号の一方から、所定の周波数以下の信号を抽出して出力する複数の第１の抽出手段と、
前記複数の第１の抽出手段から出力された信号を各々増幅し、かつ増幅量が可変である複数の第３の増幅手段と、
前記複数の第３の増幅手段から出力された信号を復号する複数の復号手段と、
前記複数の分配手段から出力された信号の他方から、所定の周波数帯域の信号を抽出して出力する複数の第２の抽出手段と、
前記第２の抽出手段から出力された信号の信号レベルを測定する複数の検波手段と、
前記複数のアンテナで所望の信号のみ受信された場合における前記複数の第１、第２、第３の増幅手段の制御量と、前記複数の検波手段による信号レベルの測定結果を基準データとしてあらかじめ保存されている複数のデータ部と、
前記複数の検波手段の測定結果と複数のデータ部に保存されている基準データとを比較し、所望の信号以外の無線信号の有無を判定する複数の判定手段と、
を具備する放送受信装置。
【請求項４】
前記複数の判定手段は、
全ての判定手段の結果が所望の信号以外の無線信号が有ると判定した場合のみ、所望の信号以外の無線信号が有ると判定することを特徴とする請求項３記載の放送受信装置。
【請求項５】
前記複数の判定手段は、前記複数の判定手段のうち過半数の判定手段の結果が所望の信号以外の無線信号が有ると判定した場合のみ、所望の信号以外の無線信号が有ると判定することを特徴とする請求項３記載の放送受信装置。
【請求項６】
無線信号を受信する複数のアンテナと、
前記複数のアンテナで受信した各々の無線信号を増幅し、かつ増幅量が可変である複数の第１の増幅手段と、
前記複数の第１の増幅手段の出力信号を局部発振手段から出力された信号と周波数乗算し、かつ直交復調する複数の直交復調手段と、
前記直交復調手段から出力された複数の信号を増幅し、かつ増幅量が可変である複数の第２の増幅手段と、
前記複数の第２の増幅手段から出力された信号を２方向に分配する複数の分配手段と、
前記複数の分配手段から出力された信号の一方から、所定の周波数以下の信号を抽出して出力する複数の第１の抽出手段と、
前記第複数の１の抽出手段から出力された信号を増幅し、かつ増幅量が可変である複数の第３の増幅手段と、
前記複数の第３の増幅手段から出力された信号を復号する複数の復号手段と、
前記複数の分配手段から出力された信号の他方を合成する第１の合成手段と、
前記第１の合成手段の出力から、所定の周波数帯域の信号を抽出して出力する第２の抽出手段と、
前記第２の抽出手段から出力された信号の信号レベルを測定する検波手段と、
前記複数のアンテナで所望の信号のみ受信された場合における前記複数の第１、第２、第３の増幅手段の制御量と、前記検波手段の測定結果があらかじめ保存されているデータ部と、前記検波手段の測定結果とデータ部に保存されているデータから、所望の信号以外の無線信号の有無を判定する判定手段と、
を具備する放送受信装置。
【請求項７】
アンテナで受信した無線信号について増幅量を可変に増幅する第１の増幅ステップと、
前記第１の増幅ステップで出力された信号を局部発振手段から出力された信号と周波数乗算し、かつ直交復調する直交復調ステップと、
前記直交復調手段から出力された信号について増幅量を可変に増幅する第２の増幅ステップと、
前記第２の増幅ステップで出力された信号を２方向に分配する分配ステップと、
前記分配ステップで出力された信号の一方から、所定の周波数以下の信号を抽出して出力する第１の抽出ステップと、
前記第１の抽出ステップで出力された信号について増幅量を可変に増幅する第３の増幅ステップと、
前記第３の増幅ステップで出力された信号を復号する復号ステップと、
前記分配ステップから出力された信号のうち他方から、所定の周波数帯域の信号を抽出して出力する第２の抽出ステップと、
前記第２の抽出ステップから出力された信号の信号レベルを測定する検波ステップと、
アンテナで所望の信号のみ受信された場合における前記第１、第２、第３の増幅ステップの制御量および前記検波ステップによる信号レベルの測定結果を基準データとしてあらかじめ保存するデータ保存ステップと、
新たに検波した測定結果と前記データ保存ステップにて保存された基準データとを比較して、所望の信号以外の無線信号の有無を判定する判定ステップと、
からなることを特徴とする放送受信方法。
【発明の詳細な説明】
【技術分野】
【０００１】
本発明は、デジタルテレビ放送等の放送受信装置および放送受信方法に関する。
【背景技術】
【０００２】
地上デジタル放送などのテレビジョン放送を受信する際、受信地域により放送局がことなるため、固定テレビ機ではテレビを設置する際に、一度チャネルスキャン（全てのチャネルにおいて信号が存在するかどうかを判定する機能）をして設定することが一般的である。チャネルスキャンには数分程度かかる場合がある。
【０００３】
一方で、近年、地上デジタル放送対応の携帯電話機など、テレビジョン放送を受信再生する機能を搭載した携帯端末の普及が進んでいる。このような携帯型の受信装置でも、上記のようにチャネルスキャンを実施する必要がある。
【０００４】
ところが、家庭内などに固定して設置される固定テレビ受信機と異なり、携帯端末では放送エリアをまたがっての使用が想定されるため、チャネルスキャンを頻繁に実施しなくてはならず、使用者の利便性を大きく損なうこととなる。
【０００５】
従来、チャネルスキャンにかかる時間を短縮する技術として、例えば特許文献１に記載されている。この技術では、必要の無いチャンネルの受信可否確認動作を省略して受信可否確認を実行するチャンネル数を減らすことにより、トータルのチャンネルスキャン時間を短縮することができる。
【特許文献１】特開２００７−２５１４１３号公報
【発明の開示】
【発明が解決しようとする課題】
【０００６】
しかしながら、特許文献１記載の技術を適用した場合、アンプの制御量により隣接チャネル信号の有無を判定することになるが、アンプの制御量は受信信号と隣接チャネル信号のレベル比により様々な値となりうるため、アンプの制御量だけでは精度の良い判定ができないという課題があった。また一般的にアンプの制御量はバラツキが大きいため、アンプの制御量の精度を改善することは難しい。
【０００７】
本発明は、かかる点に鑑みてなされたものであり、隣接チャネル信号の有無を精度良く判定することが可能な放送受信装置および放送受信方法を提供することを目的とする。
【課題を解決するための手段】
【０００８】
本発明の放送受信装置は、無線信号を受信するアンテナと、前記アンテナで受信した無線信号を増幅し、かつ増幅量が可変である第１の増幅手段と、前記第１の増幅手段の出力信号を周波数変換するため、局部発信信号から出力された信号と周波数乗算し、かつ直交復調する直交復調手段と、前記直交復調手段から出力された信号を増幅し、かつ増幅量が可変である第２の増幅手段と、前記第２の増幅手段から出力された信号を２方向に分配する分配手段と、前記分配手段から出力された信号の一方から、所定の周波数以下の信号を抽出して出力する第１の抽出手段と、前記第１の抽出手段から出力された信号を増幅し、かつ増幅量が可変である第３の増幅手段と、前記第３の増幅手段から出力された信号を復号する復号手段と、前記分配手段から出力された信号のもう一方から、所定の周波数帯域の信号を抽出して出力する第２の抽出手段と、前記第２の抽出手段から出力された信号の信号レベルを測定する検波手段と、前記アンテナで所望の信号のみ受信された場合における前記第１、第２、第３の増幅手段の制御量と、前記検波手段の測定結果があらかじめ保存されているデータ部と、前記検波手段の測定結果とデータ部に保存されているデータから、所望の信号以外の無線信号の有無を判定する判定手段と、を備える構成を採っている。
【０００９】
この構成により、所望信号以外の無線信号の有無判定を精度良く行うことができる。
【００１０】
また、本発明の放送受信装置は、前記アンテナで所定のレベルで、かつ所望の信号のみ受信された場合における前記第２の増幅手段の制御量と、前記検波手段の測定結果を測定し、あらかじめデータ部に保存されている前記第１、第２、第３の増幅手段の制御量と前記検波手段の特性結果とを比較し、差分がある場合はデータ部に保存されているデータを補正することを特徴としている。
【００１１】
この構成により、データ部の信号を放送受信装置毎に補正することができるため、所望信号以外の無線信号の有無判定を精度良く行うことができる。
【００１２】
また、本発明の放送受信装置は、無線信号を受信する複数のアンテナと、前記複数のアンテナで受信した各々の無線信号を増幅し、かつ増幅量が可変である複数の第１の増幅手段と、前記複数の第１の増幅手段の出力信号を局部発振手段から出力された信号と周波数乗算し、かつ直交復調する複数の直交復調手段と、前記直交復調手段から出力された複数の信号を各々増幅し、かつ増幅量が可変である複数の第２の増幅手段と、
前記複数の第２の増幅手段から出力された信号を２方向に分配する複数の分配手段と、前記複数の分配手段から出力された信号の一方から、所定の周波数以下の信号を抽出して出力する複数の第１の抽出手段と、前記複数の第１の抽出手段から出力された信号を各々増幅し、かつ増幅量が可変である複数の第３の増幅手段と、前記複数の第３の増幅手段から出力された信号を復号する複数の復号手段と、前記複数の分配手段から出力された信号の他方から、所定の周波数帯域の信号を抽出して出力する複数の第２の抽出手段と、前記第２の抽出手段から出力された信号の信号レベルを測定する複数の検波手段と、前記複数のアンテナで所望の信号のみ受信された場合における前記複数の第１、第２、第３の増幅手段の制御量と、前記複数の検波手段による信号レベルの測定結果を基準データとしてあらかじめ保存されている複数のデータ部と、前記複数の検波手段の測定結果と複数のデータ部に保存されている基準データとを比較し、所望の信号以外の無線信号の有無を判定する複数の判定手段と、、を備える構成を採っている。
【００１３】
この構成により、所望信号以外の無線信号有無結果を複数得ることができるため、無線信号有無判定の精度を改善することができる。
【００１４】
前記複数の判定手段は、全ての判定手段の結果が所望の信号以外の無線信号が有ると判定した場合のみ、所望の信号以外の無線信号が有ると判定することを特徴としている。
【００１５】
この構成により、全ての判定手段の結果が所望の信号以外の無線信号が有りと判定した場合のみ信号有りと判定するので、誤判定する確立を改善することができる。
【００１６】
前記複数の判定手段は、過半数の判定手段の結果が所望の信号以外の無線信号が有ると判定した場合のみ、所望の信号以外の無線信号が有ると判定することを特徴としている。
【００１７】
この構成により、過半数の判定手段の結果が所望の信号以外の無線信号が有りと判定した場合のみ信号有りと判定するので、誤判定する確立を改善することができる。
【００１８】
本発明の放送受信装置は、無線信号を受信する複数のアンテナと、前記複数のアンテナで受信した各々の無線信号を増幅し、かつ増幅量が可変である複数の第１の増幅手段と、前記複数の第１の増幅手段の出力信号を局部発振手段から出力された信号と周波数乗算し、かつ直交復調する複数の直交復調手段と、前記直交復調手段から出力された複数の信号を各々増幅し、かつ増幅量が可変である複数の第２の増幅手段と、前記複数の第２の増幅手段から出力された信号を２方向に分配する複数の分配手段と、前記複数の分配手段から出力された信号の一方から、所定の周波数以下の信号を抽出して出力する複数の第１の抽出手段と、前記複数の第１の抽出手段から出力された信号を各々増幅し、かつ増幅量が可変である複数の第３の増幅手段と、前記複数の第３の増幅手段から出力された信号を復号する複数の復号手段と、前記複数の分配手段から出力された信号の他方から、所定の周波数帯域の信号を抽出して出力する複数の第２の抽出手段と、前記第２の抽出手段から出力された信号の信号レベルを測定する複数の検波手段と、前記複数のアンテナで所望の信号のみ受信された場合における前記複数の第１、第２、第３の増幅手段の制御量と、前記複数の検波手段による信号レベルの測定結果を基準データとしてあらかじめ保存されている複数のデータ部と、前記複数の検波手段の測定結果と複数のデータ部に保存されている基準データとを比較し、所望の信号以外の無線信号の有無を判定する複数の判定手段と、を備える構成を採っている。
【００１９】
この構成により、１つの判定手段で所望信号以外の無線信号の有無判定をおこなうことができるため、受信回路規模の小型化をすることができる。
【発明の効果】
【００２０】
本発明によれば、隣接チャネル信号の有無を精度良く判定することが可能な放送受信装置および放送受信方法を提供することができる。
【発明を実施するための最良の形態】
【００２１】
以下、本発明の各実施の形態について、図面を参照して詳細に説明する。
（実施の形態１）
図１は、本発明の実施の形態１に係る受信装置の構成を示すブロック図である。本実施の形態は、地上デジタル放送サービスの１つであるワンセグの受信機能を備えた携帯電話機に適用した例である。
【００２２】
まず、ワンセグの概略について説明する。ワンセグは、地上デジタル放送の周波数帯域を構成する１３セグメントの１セグメントを用いた放送サービスである。放送局側で、放送番組の画像データおよび音声データは、トランスポートストリーム（transport stream：ＴＳ）に多重化される。そして、トランスポートストリームは、誤り訂正符号化を含む所定のデジタル変調が行われ、デジタル変調された信号は、所望の周波数にアップコンバートされて送出される。
【００２３】
図１において、本実施の形態に係る受信装置１００は、アンテナ１０１、増幅器１０２、ミキサ１０３、ＰＬＬシンセサイザ１０４、増幅器１０５、分配器１０６、ローパスフィルタ１０７、増幅器１０８、ＯＦＤＭ復調器１０９、バンドパスフィルタ１１０、隣接信号検波部１１１、隣接信号判定部１１２、増幅器制御量データ部１１３を有する。
【００２４】
アンテナ１０１は、ワンセグの放送波を受信する。
【００２５】
増幅器１０２（第１の増幅手段に相当）は、アンテナ１０１を介してワンセグの放送信号を受信し、受信信号を増幅する。
【００２６】
PLLシンセサイザ１０４（局部信号発振手段に相当）は、ローカル信号を出力する。
【００２７】
ミキサ１０３（直交復調手段に相当）は、増幅器１０２の出力信号とPLLシンセサイザ１０４から出力されたローカル信号が入力され、周波数変換されたIF信号を出力する。
【００２８】
増幅器１０５（第２の増幅手段に相当）は、ミキサ１０３から出力された信号を増幅する。
【００２９】
分配器１０６は、増幅器１０５から出力された信号を２分配する。
【００３０】
ローパスフィルタ１０７（第１の抽出手段に相当）は、分配器１０６から出力された信号の１つが入力され、所定の周波数以下の信号のみ出力する。例えば所望のワンセグ放送チャネルよりも高い周波数のチャネルは出力されることはない周波数設定とする。
【００３１】
増幅器１０８（第３の抽出手段に相当）は、ローパスフィルタ１０７から出力された信号を増幅する。
【００３２】
OFDM復調器１０９（復号手段に相当）は、デジタル復調を行い、元のトランスポートストリームを再生する。
【００３３】
バンドパスフィルタ１１０（第２の抽出手段）は、分配器１０６から出力された信号の１つが入力され、所定の周波数帯域の信号のみ出力する。例えばローパスフィルタ１０７で出力される所望のワンセグチャネルよりも１チャネル分、即ち６MHz高い周波数帯のみ出力する周波数設定とする。
【００３４】
隣接信号検波部１１１（検波手段に相当）は、バンドパスフィルタ１１０から出力された信号の電力を算出する。
【００３５】
増幅器制御量データ部１１３は、所定のワンセグ放送波が異なる電力で入力された際の、入力電力に対する増幅器１０２、増幅器１０５、増幅器１０８の制御量と隣接信号検波部１１１で算出された電力のデータが保存されている。例えば増幅器の制御量として利得[dB]を用いても良く、また増幅器１０２、１０５、１０８の利得の合計を増幅器の制御量として用いても良い。
【００３６】
隣接信号判定部１１２（判定手段に相当）は、隣接信号検波部１１１で信号電力が算出された際の増幅器の制御量をもとに、増幅器制御量データ部１１３から増幅器の制御量が同じ値のときの隣接信号検波部電力を参照する。この増幅器制御量データ部１１３に保存されている隣接信号検波電力と現在の隣接信号検波部１１１で算出された電力値の差分が規定の値以下の場合には隣接信号は無しと判断し、規定の値以上である場合には隣接信号は有りと判定する。
【００３７】
以下、上記構成を有する受信装置１００の動作について説明する。まず、本発明の基本的な考え方について説明する。
【００３８】
図２は、増幅器制御量データ部１１３に保存されるデータの一例である。図２にしめすように入力される所定のワンセグ放送波の信号レベルに応じて、増幅器制御量のＧａｉｎと隣接信号受信電力のＰｎ＋１がそれぞれ保存されている。
【００３９】
図３は、隣接信号の有無判定を説明するフロー図である。まず受信チャネルαを受信するよう設定する。次いで隣接信号受信電力Ｐｎ＋１(i)を算出し、その時の増幅器制御量Ｇａｉｎ（ｉ）を取得する。次いでＧａｉｎ（ｉ）と増幅器制御量データ部に保存されているＧａｉｎ（ｎ）を比較し、以下の条件を満たすＧａｉｎ（ｎ）が存在するか判定する。
【００４０】
【数１】
2010050663.tif 000003
【００４１】
ここでΔＧａｉｎの値は調整が可能であり、任意の値を取りうるものとする。
【００４２】
条件を満たすＧａｉｎ（ｎ）が存在しない場合は、隣接信号は存在しないと判定する。
【００４３】
一方条件を満たすＧａｉｎ（ｎ）が存在する場合は、Ｐｎ＋１(ｉ)とＰｎ＋１(ｎ)が以下の関係を満たすか判定する。
【００４４】
【数２】
2010050663.tif 000004
【００４５】
ここでΔＰｎ＋１の値は調整が可能であり、任意の値を取りうるものとする。
【００４６】
条件を満たす場合は、隣接信号が存在すると判定する。一方条件を満たさない場合は、隣接信号は存在しないと判定する。
【００４７】
以上の考えに基づいて、受信装置１００は、以下のように動作する。
【００４８】
図４は、１３ｃｈ、１５ｃｈ、１７ｃｈにワンセグ放送波が存在する環境下で、１３ｃｈから５０ｃｈまでのチャネルスキャンを実施する場合の動作を示した動作の一例である。ここでは最初に１３ｃｈを受信して受信可否を判断し、その後チャネル数を１ｃｈずつ増やして同様の受信可否を判断する。また図中の信号Ａ、信号Ｂ、信号Ｃ、信号Ｄ、信号Ｅは受信装置１００における信号の周波数スペクトルを示している。
【００４９】
アンテナ１０１にて無線信号Ａが受信され、増幅器１０２にて信号レベルが増幅される。増幅器１０２から出力された信号と、ＰＬＬシンセサイザ１０４から出力された信号Ｂがミキサ１０３に入力される。ここで信号Ｂは１３ｃｈを受信できる周波数に設定されている。ミキサ１０３にて周波数変換され、信号Ａの周波数から信号Ｂの周波数が減算された信号が増幅器１０５へ入力される。増幅器１０５から出力された信号が信号Ｃとなる。
【００５０】
図４に示すとおり、信号Ｃは信号Ａの周波数から信号Ｂの周波数を減算した周波数スペクトルとなっている。信号Ｃは分配器１０６にて２分岐される。一方の信号はローパスフィルタ１０７へ入力され、例えば１ＭＨｚ以下の周波数のみ抽出し出力する。ここでは１３ｃｈの信号以下の周波数のみ抽出し出力されることになる。出力された信号がＤであり、１３ｃｈの信号のみが存在する。信号Ｄは増幅器１０８で増幅され、ＯＦＤＭ復調部１０９へ入力され、元のトランスポートストリームに復調される。この復調が可能かどうかで１３ｃｈの受信が可能であるかどうかが判断できる。
【００５１】
分配器１０６から出力されたもう一方の信号は、バンドパスフィルタ１１０へ入力され、周波数６.５６３MHzの周波数帯のみを抽出し出力される。出力された信号がＥであり、１４ｃｈの周波数帯の信号のみが存在する。信号Ｅは隣接信号検波部１１１へ入力され、信号Ｅの電力が算出される。算出結果は、隣接信号判定部１１２へ入力される。この時、隣接信号判定部１１２には増幅器１０２、１０５、１０８の制御量も入力される。隣接信号判定部１１２では、増幅器の制御量と規定の差分、例えば±0.5dB以内の制御量データが増幅器制御量データ部１１３に存在するか比較する。該当するデータが存在しない場合は、信号Ｅには信号が存在すると判定する。該当するデータが存在する場合には、その時の隣接信号電力と、隣接信号検波部１１１で算出された隣接信号電力を隣接信号判定部１１２にて比較する。電力値が規定の差分以下、例えば±０．５ｄＢ以内の場合は信号Ｅには信号が存在しないと判定する。電力値が規定の差分以上の場合は、信号Ｅには信号が存在すると判定する。
【００５２】
上記動作により、１３ｃｈの受信可否を判断すると同時に、１４ｃｈに信号が存在するかどうかを正確判断することができる。この制御を用いると、チャネルサーチおよびチャネルスキャンの時間短縮が可能となる。例えば１４ｃｈに信号が存在すると判断された場合は、１３ｃｈの受信可否判断後、１４ｃｈの受信可否を判断するが、１４ｃｈに信号が存在しないと判断された場合は、１４ｃｈの受信可否を判断する必要が無いため次は１５ｃｈの受信可否を判断すれば良いことになる。この制御により、受信するチャネル数を削減することができるため、スキャン時間の短縮が可能となる。
（実施の形態２）
図５は、本発明の実施の形態２にかかる受信装置の構成を示すブロック図であり、実施の形態１の図１に対応するものである。図１と同一部分には同一符号を付し、これについての説明を省略する。
【００５３】
図５において、本実施の形態に係る受信装置２００は、図１の受信装置１００に制御量データ補正部２０１を追加した点が異なる。次いで制御量データ補正部２０１の動作について説明する。
【００５４】
図６は、増幅器制御量データ部１１３に保存されている隣接信号受信電力Ｐｎ＋１と増幅器制御量Ｇａｉｎの関係をグラフにしたものである。一般に増幅器制御量のＧａｉｎは
バラツキが大きいことが知られている。例えば図６において隣接信号受信電力がＰｎ＋１（１）だったとしても、サンプルバラツキ等で受信装置によってＧａｉｎの値はＧａｉｎ（１）、Ｇａｉｎ‘（１）、Ｇａｉｎ“（１）をとりうることがある。つまり図６でしめすようにＰｎ＋１とＧａｉｎのグラフが上下にシフトした関係になり得る。そこで正確な判定を行うにはこのシフト量を補正する必要がある。
【００５５】
図７は、制御量データ補正部にて補正する動作のフロー図である。まず受信装置２００の無入力時の隣接信号電力Ｐｎ＋１（ｉ）と増幅器制御量Ｇａｉｎ（ｉ）を算出する。次にあらかじめ増幅器制御量データ部に保存されている無入力時の隣接信号電力Ｐｎ＋１（０）と増幅器制御量Ｇａｉｎ（０）を参照する。次にこれらの差分を算出する。
【００５６】
【数３】
2010050663.tif 000005
【００５７】
ここで算出されたα、βを、増幅器制御量データ部に保存されているＰｎ＋１およびＧａｉｎにそれぞれ加算する。これによりＧａｉｎバラツキを補正することができる。
【００５８】
図８は補正量α、βとＰｎ＋１とＧａｉｎのグラフの関係を表したグラフである。補正を行うことにより、バラツキにより生じていたシフト量がキャンセルされることが分かる。
【００５９】
（実施の形態３）
図９は、本発明の実施の形態３にかかる受信装置の構成を示すブロック図であり、実施の形態１の図１に対応するものである。図１と同一部分には同一符号を付し、これについての説明を省略する。
【００６０】
図９において、本実施の形態に係る受信装置３００は、アンテナ３０１、増幅器３０２、ミキサ３０３、ＰＬＬシンセサイザ３０４、増幅器３０５、分配器３０６、ローパスフィルタ３０７、増幅器３０８、ＯＦＤＭ復調器３０９、バンドパスフィルタ３１０、隣接信号検波部３１１、隣接信号判定部３１２、増幅器制御量データ部３１３を有する。
【００６１】
次に図９の動作について説明する。図９は図１に対しもう１ｃｈ受信することが可能である点が異なる。受信装置３００は２つの隣接信号判定部を持つ構成となるが、２つの隣接信号判定部が共に隣接信号が無いと判定した時のみ、隣接信号は存在しないと判断することが可能となる。これにより隣接信号が存在しないという判定精度を改善することが可能となる。
【００６２】
（実施の形態４）
図１０は、本発明の実施の形態４にかかる受信装置の構成を示すブロック図であり、実施の形態１の図１に対応するものである。図１と同一部分には同一符号を付し、これについての説明を省略する。
【００６３】
図１０において、本実施の形態に係る受信装置４００は、アンテナ４０１、増幅器４０２、ミキサ４０３、ＰＬＬシンセサイザ４０４、増幅器４０５、分配器４０６、ローパスフィルタ４０７、増幅器４０８、ＯＦＤＭ復調器４０９、バンドパスフィルタ４１０、隣接信号検波部４１１、隣接信号判定部４１２、増幅器制御量データ部４１３を有する。
【００６４】
次に図１０の動作について説明する。図１０は図９に対し隣接信号判定部が１つである点が異なる。受信装置４００は分配器１０６と分配器４０６の出力信号をバンドパスフィルタ４１０へ入力し、その出力信号を用いて隣接信号検波部４１１にて受信電力を算出する。一方隣接信号判定部４１２は増幅器１０２、１０５、１０８と増幅器４０２、４０５、４０８の制御量を用いて増幅器制御量データ部４１３との比較を実施し、隣接信号の有無判定を行う。この構成により、図９の動作において２つの隣接信号判定部が共に隣接信号が無いと判定した時のみ、隣接信号は存在しないと判断する動作をより小さい回路規模にて実現することが可能となる。
【産業上の利用可能性】
【００６５】
本発明に係る放送受信装置は、チャネルサーチ時間およびスキャン時間を短縮できる装置として有用である。
【図面の簡単な説明】
【００６６】
【図１】本発明の実施の形態１に係る受信装置の構成を示すブロック図
【図２】実施の形態１における増幅器制御量データ部に保存されるデータの一例を示す図
【図３】実施の形態１における隣接信号判定部の動作の一例を示すフローチャート
【図４】実施の形態１における受信装置の動作の一例を示す図
【図５】本発明の実施の形態２に係る受信装置の構成を示すブロック図
【図６】実施の形態２における増幅器制御量のバラツキ量の一例を示す図
【図７】実施の形態２における増幅器制御量データ部のデータ補正動作の一例を示すフローチャート
【図８】実施の形態２における制御量データ補正部の補正データの一例を示す図
【図９】本発明の実施の形態３に係る受信装置の構成を示すブロック図
【図１０】本発明の実施の形態４に係る受信装置の構成を示すブロック図
【符号の説明】
【００６７】
１００、２００、３００、４００    受信装置
１０１、３０１、４０１    アンテナ部
１０２、１０５、１０８、３０２、３０５、３０８、４０２、４０５、４０８    増幅器
１０３、３０３、４０３    ミキサ
１０４、３０４、４０４    ＰＬＬシンセサイザ
１０６、３０６、４０６    分配器
１０７、３０７、４０７    ローパスフィルタ
１０９、３０９、４０９    ＯＦＤＭ復調部
１１０、３１０、４１０    バンドパスフィルタ
１１１、３１１、４１１    隣接信号検波部
１１２、３１２、４１２    隣接信号判定部
１１３、３１３、４１３    増幅器制御量データ部
２０１    制御量データ補正部
４１４    合成器
【図１】
2010050663.tif 000006
【図２】
2010050663.tif 000007
【図３】
2010050663.tif 000008
【図４】
2010050663.tif 000009
【図５】
2010050663.tif 000010
【図６】
2010050663.tif 000011
【図７】
2010050663.tif 000012
【図８】
2010050663.tif 000013
【図９】
2010050663.tif 000014
【図１０】
2010050663.tif 000015